(57)【要約】  光学的情報記録媒体への信号記録条件調整方法は、試し記録するステップと、品質測定するステップと、パラメータ候補値を選択ステップと、複数のパラメータ値の組み合わせを生成するステップと、繰り返しステップと、最適値として選択するステップとを具備する。試し記録するステップでは、調整可能な複数のパラメータを含む記録ストラテジに基づいて、第１パラメータの値を変更しながら光学的情報記録媒体上にレーザ光を照射して、パターン列が試し記録される。測定するステップでは、第１パラメータの各値に対応して信号品質値が測定される。パラメータ候補値を選択ステップでは、その中から複数のパラメータ候補値が選択され、複数のパラメータ値の組み合わせを生成するステップで第１パラメータの値が複数のパラメータ候補値で置き換えて固定され、第２パラメータが値を変更されるパラメータとして選択される。繰り返しステップでは、これらのステップが複数のパラメータの各々に対して繰り返され、その後、最適値として選択するステップで、再生信号波形と基準再生波形との誤差の分散値が最小になるパラメータ候補値の組み合わせが選択される。
2009016958.tif 000002
【特許請求の範囲】
【請求項１】
調整可能な複数のパラメータを含む記録ストラテジに基づいて、前記複数のパラメータのうちの第１パラメータの値を変更しながら光学的情報記録媒体上に強度変調されたレーザ光を照射して、マーク部およびスペース部を有するパターン列を試し記録するステップと、
試し記録された前記パターン列を再生し、前記第１パラメータの各値に対応して再生信号品質を示す信号品質値を測定するステップと、
前記信号品質値に基づいて前記第１パラメータの各値の中からパラメータ候補値を選択するステップと、
前記第１パラメータの値を選択された前記パラメータ候補値に置き換え、前記複数のパラメータのうちの第２パラメータを制御するパラメータとして選択し、複数のパラメータ値の組み合わせを生成するステップと、
前記試し記録するステップと、前記測定するステップと、前記パラメータ候補値を選択するステップと、前記複数のパラメータ値の組み合わせを生成するステップとを繰り返すステップと、
前記繰り返しの後に、前記パターン列を再生した再生信号波形と、前記パターン列に基づいて算出される基準再生波形との誤差の分散値が最小になる前記パラメータ候補値の組み合わせを最適値として選択するステップと
を具備する光学的情報記録媒体への信号記録条件調整方法。
【請求項２】
前記基準再生波形は、記録に使用されたパターン列により示される波形である
請求の範囲１に記載の光学的情報記録媒体への信号記録条件調整方法。
【請求項３】
前記基準再生波形は、前記再生信号波形に基づいて識別器により生成される推定データ列により示される波形である
請求の範囲１に記載の光学的情報記録媒体への信号記録条件調整方法。
【請求項４】
前記分散値をσ２、前記再生信号波形をデジタル化して得られる再生波形データと前記パターン列に基づいて算出される前記基準再生波形を示す基準波形データとの差分を誤差Ｘｋ、前記分散値を求める期間に含まれる前記誤差のサンプル数をＮ（Ｎは１以上の整数）とするとき、前記分散値σ２は、誤差Ｘｋの２乗和の平均と、誤差Ｘｋの平均の２乗和とを用いて、
2009016958.tif 000004
なる式にて算出される
請求の範囲１から請求の範囲３のいずれかに記載の光学的情報記録媒体への信号記録条件調整方法。
【請求項５】
前記記録ストラテジは、前記マーク部を複数のパルスにより記録するパルストレイン型記録ストラテジであり、
前記複数のパルスは、
前記マーク部において最初に出力される先頭パルスと、前記マーク部の最後に出力される最終パルスと、前記先頭パルスと前記最終パルスとの間に連なる中間パルスとを含む加熱パルスとを有する
請求の範囲１から請求の範囲４のいずれかに記載の光学的情報記録媒体への信号記録条件調整方法。
【請求項６】
前記複数のパラメータは、前記複数のパルスのパルス幅を含む
請求の範囲５に記載の光学的情報記録媒体への信号記録条件調整方法。
【請求項７】
ｋを２以上の自然数とし、Ｔをチャネルクロック周期とするとき、
記録するマーク部の長さがｋＴである前記パルストレイン型記録ストラテジは、ｋ−１個のパルス群を備える
請求の範囲５または請求の範囲６に記載の光学的情報記録媒体への信号記録条件調整方法。
【請求項８】
前記複数のパラメータは、前記複数のパルスの記録パワーおよびバイアスパワーを含む
請求の範囲５から請求の範囲７のいずれかに記載の光学的情報記録媒体への信号記録条件調整方法。
【請求項９】
前記パラメータ候補値を選択するステップは、前記測定するステップにおいて測定された前記信号品質値が上位となった前記信号品質値に対応する前記第１パラメータの値を前記パラメータ候補値として選択するステップを備える
請求の範囲１から請求の範囲８のいずれかに記載の光学的情報記録媒体への信号記録条件調整方法。
【請求項１０】
前記パラメータ候補値を選択するステップは、前記測定するステップにおいて測定された前記信号品質値のうちの所定の閾値を超える前記信号品質値に対応する前記第１パラメータの値を前記パラメータ候補値として選択するステップを備える
請求の範囲１から請求の範囲８のいずれかに記載の光学的情報記録媒体への信号記録条件調整方法。
【請求項１１】
前記パラメータ候補値を選択するステップは、前記複数のパラメータのそれぞれに対応付けて、
前記測定するステップにおいて測定された前記信号品質値が上位となった前記信号品質値に対応する前記第１パラメータの値、
または、前記測定するステップにおいて測定された前記信号品質値のうちの所定の閾値を超える前記信号品質値に対応する前記第１パラメータの値
を切り替えて前記パラメータ候補値として選択するステップを備える
請求の範囲１から請求の範囲８のいずれかに記載の光学的情報記録媒体への信号記録条件調整方法。
【請求項１２】
前記パラメータ候補値を選択するステップは、前記信号品質値が所定の値を超える場合に、前記再生信号波形と前記基準再生波形との誤差の分散値が最小になる前記第１パラメータの値を前記パラメータ候補値として選択するステップをさらに備える
請求の範囲９から請求の範囲１１のいずれかに記載の光学的情報記録媒体への信号記録条件調整方法。
【請求項１３】
前記信号品質値は、ＰＲＳＮＲにより示される
請求の範囲１から請求の範囲１２のいずれかに記載の光学的情報記録媒体への信号記録条件調整方法。
【請求項１４】
前記品質評価値は、エラーレートにより示される
請求の範囲１から請求の範囲１２のいずれかに記載の光学的情報記録媒体への信号記録条件調整方法。
【請求項１５】
前記信号品質値は、前記複数のパラメータのそれぞれに対応付けて設定されるＰＲＳＮＲまたはエラーレートにより示される
請求の範囲１から請求の範囲１２のいずれかに記載の光学的情報記録媒体への信号記録条件調整方法。
【請求項１６】
調整可能な複数のパラメータを含む記録ストラテジに基づいて、前記複数のパラメータのうちの第１パラメータの値を変更しながら光学的情報記録媒体上に強度変調されたレーザ光を照射して、マーク部およびスペース部を有するパターン列を試し記録し、前記光学的情報記録媒体に記録された前記パターン列を読み出して電気信号を出力する光ヘッド部と、
前記電気信号に基づいて、再生波形信号を生成する再生手段と、
前記再生波形信号に基づいて、前記第１パラメータの各値に対応する前記再生波形信号の再生信号品質を示す信号品質値を測定する信号品質算出手段と、
前記信号品質値に基づいて前記第１パラメータの各値の中から複数のパラメータ候補値を選択し、前記第１パラメータの値を選択された前記複数のパラメータ候補値の各々に置き換え、前記複数のパラメータのうちの第２パラメータを制御するパラメータとして選択し、複数のパラメータ値の組み合わせを生成する記録ストラテジ調整手段と
を具備し、
前記記録ストラテジ調整手段は、前記試し記録と前記信号品質値の測定とを繰り返した後に、前記パターン列を再生した再生信号波形と、前記パターン列に基づいて算出される基準再生波形との誤差の分散値が最小になる前記パラメータ候補値の組み合わせを選択して信号記録条件の調整結果とする
情報記録再生装置。
【請求項１７】
さらに、前記試し記録する前記パターン列を記憶する記憶手段を具備し、
前記試し記録に使用されて前記記憶手段に記憶されている前記パターン列により示される波形を前記基準再生波形とする
請求の範囲１６に記載の情報記録再生装置。
【請求項１８】
前記再生手段は、前記再生信号波形に基づいて記録された前記パターン列を推定して推定データ列を出力する識別器を備え、
前記識別器から出力される前記推定データ列により示される波形を前記基準再生波形とする
請求の範囲１６に記載の情報記録再生装置。
【請求項１９】
前記分散値をσ２、前記再生信号波形をデジタル化して得られる再生波形データと前記パターン列に基づいて算出される前記基準再生波形を示す基準波形データとの差分を誤差Ｘｋ、前記分散値を求める期間に含まれる前記誤差のサンプル数をＮ（Ｎは１以上の整数）とするとき、前記分散値σ２は、誤差Ｘｋの２乗和の平均と、誤差Ｘｋの平均の２乗和とを用いて、
2009016958.tif 000005
なる式にて算出される
請求の範囲１６から請求の範囲１８のいずれかに記載の情報記録再生装置。
【請求項２０】
前記記録ストラテジは、前記マーク部を複数のパルスにより記録するパルストレイン型記録ストラテジであり、
前記複数のパルスは、
前記マーク部において最初に出力される先頭パルスと、前記マーク部の最後に出力される最終パルスと、前記先頭パルスと前記最終パルスとの間に連なる中間パルスとを含む加熱パルスとを有する
請求の範囲１６から請求の範囲１９のいずれかに記載の情報記録再生装置。
【請求項２１】
前記複数のパラメータは、前記複数のパルスのパルス幅を含む
請求の範囲２０に記載の情報記録再生装置。
【請求項２２】
ｋを２以上の自然数とし、Ｔをチャネルクロック周期とするとき、
記録するマーク部の長さがｋＴである前記パルストレイン型記録ストラテジは、ｋ−１個のパルス群を備える
請求の範囲２０または請求の範囲２１に記載の情報記録再生装置。
【請求項２３】
前記複数のパラメータは、前記複数のパルスの記録パワーおよびバイアスパワーを含む
請求の範囲１６から請求の範囲２２のいずれかに記載の情報記録再生装置。
【請求項２４】
前記記録ストラテジ調整手段は、測定された前記信号品質値が上位となった前記信号品質値に対応する前記第１パラメータの値を前記パラメータ候補値として選択する
請求の範囲１６から請求の範囲２３のいずれかに記載の情報記録再生装置。
【請求項２５】
前記記録ストラテジ調整手段は、測定された前記信号品質値のうちの所定の閾値を超える前記信号品質値に対応する前記第１パラメータの値を前記パラメータ候補値として選択する
請求の範囲１６から請求の範囲２３のいずれかに記載の情報記録再生装置。
【請求項２６】
前記記録ストラテジ調整手段は、前記複数のパラメータのそれぞれに対応付けて、
測定された前記信号品質値が上位となった前記信号品質値に対応する前記第１パラメータの値、
または、測定された前記信号品質値のうちの所定の閾値を超える前記信号品質値に対応する前記第１パラメータの値
を切り替えて前記パラメータ候補値として選択する
請求の範囲１６から請求の範囲２３のいずれかに記載の情報記録再生装置。
【請求項２７】
前記記録ストラテジ調整手段は、さらに、前記信号品質値が所定の値を超える場合に、前記再生信号波形と前記基準再生波形との誤差の分散値が最小になる前記第１パラメータの値を前記パラメータ候補値として選択する
請求の範囲２４から請求の範囲２６のいずれかに記載の情報記録再生装置。
【請求項２８】
前記信号品質値は、ＰＲＳＮＲにより示される
請求の範囲１６から請求の範囲２７のいずれかに記載の情報記録再生装置。
【請求項２９】
前記品質評価値は、エラーレートにより示される
請求の範囲１６から請求の範囲２７のいずれかに記載の情報記録再生装置。
【請求項３０】
前記信号品質値は、前記複数のパラメータのそれぞれに対応付けて設定されるＰＲＳＮＲまたはエラーレートにより示される
請求の範囲１６から請求の範囲２７のいずれかに記載の情報記録再生装置。
【発明の詳細な説明】
【技術分野】
【０００１】
本発明は、光学的情報記録媒体に信号を記録するときの条件を調整する信号記録条件調整方法及び情報記録再生装置に関する。
【背景技術】
【０００２】
光ディスク装置（情報記録再生装置）とは、光ヘッドを用いて、光学的情報記録媒体（光ディスク）に情報を記録したり、記録された情報を再生したりする装置である。そのような光ディスク装置において、記録時または再生時に光ディスク装置の性能を左右するいくつかの要因がある。記録に関していえば、記録マークを形成する照射光量の制御は、その中でも非常に重要な要因である。照射光量の制御には、一般的に、記録パワー、バイアスパワーなどの出力レベル（振幅方向）の制御と、レーザパルスのパルス幅やパルス位置（時間方向）の制御とがあり、通常、両者を包括して記録ストラテジと呼んでいる。【０００３】
図１Ａ〜１Ｆには、記録ストラテジの例が示される。図１Ａに、マーク部分及びスペース部分を示す入力信号の波形例が示される。マーク部分を形成するときの波形は、記録パワーを時間的に分割してパルス状に印加する場合と、矩形状を基本として記録パワーを印加する場合がある。図１Ｂには、記録パワー、消去パワー、バイアスパワーの３値のレベルをもつパルストレイン型の記録波形例が示される。マーク部分ではパルス状に記録パワーが印加され、スペース部分では一定の消去パワーが印加される。図１Ｃでは、記録パワーとバイアスパワーとの２値のレベルをもつパルストレイン型の記録波形例が示される。マーク部分には記録パワーがパルス状に印加されている。図１Ｄには、記録パワーとバイアスパワーとの２値のレベルをもつ矩形型の波形例が示され、マーク部分では記録パワーが矩形状に印加されている。図１Ｅには、記録パワー１、２、３およびバイアスパワーの計４値のパワーレベルをもつ波形例が示され、マーク部分に記録パワーが両耳付きの矩形状に印加されている。図１Ｆには、記録パワー１、記録パワー２、消去パワー、バイアスパワーの４値のレベルをもつ矩形を基本とした波形に冷却パルスを備える波形例が示される。【０００４】
このように、記録ストラテジにはいろいろな種類があり、媒体の種類、記録する光ディスク装置によって、出力レベル（パワーレベル）やパルス形状は異なる。例えば、１回だけ記録可能な追記型光ディスクであるＤＶＤ−Ｒ（Ｄｉｇｉｔａｌ  Ｖｅｒｓａｔｉｌｅ  Ｄｉｓｃ−Ｒｅｃｏｒｄａｂｌｅ）などでは矩形型の記録ストラテジが用いられ、繰り返し書き換え可能型光ディスクであるＤＶＤ−ＲＷ（ＤＶＤ−ＲｅＷｒｉｔａｂｌｅ）ではマルチパルス型の記録ストラテジが用いられることが多い。また、記録マークが形成されないスペース部に対するレーザパルスの出力レベルは、追記型（ライトワンス型）媒体ではバイアスパワー、書き換えが可能型光ディスクでは以前存在した記録マークを消去する作用があるので消去パワーと呼ばれている。【０００５】
近年出荷され始めた次世代ＤＶＤであるＨＤ  ＤＶＤ（Ｈｉｇｈ  Ｄｅｆｉｎｉｔｉｏｎ  ＤＶＤ）の場合、追記型のＨＤ  ＤＶＤ−Ｒ（ＨＤ  ＤＶＤ−Ｒｅｃｏｒｄａｂｌｅ）も書き換え可能型のＨＤ  ＤＶＤ−ＲＷ（ＨＤ  ＤＶＤ−Ｒｅｗｒｉｔａｂｌｅ）またはＨＤ  ＤＶＤ−ＲＡＭ（ＨＤ  ＤＶＤ−Ｒａｎｄｏｍ  Ａｃｃｅｓｓ  Ｍｅｍｏｒｙ）もマルチパルス型の記録ストラテジが主に使用されている。【０００６】
記録ストラテジは、光ディスクの記録再生性能に大きく影響する。そのため、以前から多くの記録方法、記録ストラテジ、記録ストラテジの調整方法が考案され、多くの報告例がある。【０００７】
記録ストラテジの調整方法として、特開２０００−１８２２４４号公報に開示される技術は、記録パワーや記録ストラテジのパラメータにいくつかの水準を割り当て、各組合せで網羅的に実験を行ない、最適なものを選択する調整方法である。特開２０００−０３０２５４号公報に開示される方法は、記録ストラテジのパルス幅の調整と記録パワーの調整とが別々に行なわれ、理論的なマーク長を指針として記録パワーが決定されるという調整方法である。また、特開２００５−２１６３４７号公報には、マージンのチェックを行いながら行うＤＶＤ−Ｒの記録ストラテジ調整法が開示されている。【０００８】
さらに、特開２００６−０６６０６８号公報には、記録ストラテジを計算により求める方法が開示されている。これは、記録時のパルス幅を光ディスクごとに記録されている推奨値と、記録装置が備える光ピックアップ光学系の特性とに基づいて、計算に用いる定数が予め行う実験により求められる。求められた定数を記録装置が備え、計算によって記録に用いるパルス幅が算出される。【０００９】
特開２００６−１６４４８５号公報には、書き換え型ＤＶＤディスクにおける記録ストラテジの設定方法が開示されている。まず、３Ｔ、４Ｔ、５〜１４Ｔのパルス幅を個別に所定量変化させて記録する。再生されたマーク長と各マークの理論長とから固有伸縮量が算出される。基準ライトストラテジに対して、３Ｔ、４Ｔ、５〜１４Ｔのパルス幅を個別に所定量変化させた時の各マークの固有伸縮量の変化率が算出される。各マークの固有伸縮量の変化率の分散が演算され、この分散がそれぞれ最小となるようなライトストラテジが設定される。【００１０】
次に、次世代光ディスクに関する技術について述べる。さらに高密度化した次世代光ディスク（ＨＤ  ＤＶＤやＢＤ（Ｂｌｕ−ｒａｙ  Ｄｉｓｃ：ブルーレイディスク））では、光源波長に４００〜４１０ｎｍ程度のレーザ光（短波長レーザ）が用いられてディスクへの書き込み、読み出しが行われる。次世代ＤＶＤであるＨＤ  ＤＶＤは、従来のＤＶＤに比べて記録密度が３倍以上高く、信号の読み出しにＰＲＭＬ（Ｐａｒｔｉａｌ  Ｒｅｓｐｏｎｓｅ  Ｍａｘｉｍｕｍ  Ｌｉｋｅｌｉｈｏｏｄ）技術が使用されている。ＰＲＭＬ技術は、パターン間の干渉を予め見積もり、再生信号から確からしいと思われる信号パターンを推定して判定するものである。ＰＲＭＬ技術に関する論文は非常に多く、例えば、「次世代ＤＶＤにおける高密度記録再生信号処理技術  ＩＴＥ  Ｔｅｃｈｎｉｃａｌ  Ｒｅｐｏｒｔ  Ｖｏｌ．２７，Ｎｏ．４３，ＰＰ．１３〜１６  ＭＭＳ２００３−４８，ＣＥ２００３−４３（Ｊｕｌ．２００３）  中野ら」を参照されたい。【００１１】
ＨＤ  ＤＶＤでは、ＰＲ（１，２，２，２，１）という非常に干渉の大きなクラスのＰＲＭＬが使われている。それはとりもなおさず、記録マークの前後にある他の記録マークの後エッジ、前エッジの状態が再生信号品質に大きく影響してくることを意味する。また、これは記録ストラテジの調整が非常に微妙な調整になることを意味する。【００１２】
ＰＲＭＬ検出をする場合、再生波形の品質評価に使用される指標がいくつかある。そのひとつがＰＲＳＮＲ（Ｐａｒｔｉａｌ  Ｒｅｓｐｏｎｓｅ  Ｓｉｇｎａｌ  ｔｏ  Ｎｏｉｓｅ  Ｒａｔｉｏ）である。これは、再生波形の信号品質の評価に従来使われていたジッタに代わる指標である。ＨＤ  ＤＶＤのように高密度化された光ディスクになると、ジッタは評価指標としては使用できないことがわかっている。ＰＲＳＮＲは、ＨＤ  ＤＶＤにおいて採用された指標である。ＰＲＳＮＲは、ジッタに代わる信号品質評価指標であり、ＰＲＭＬ検出におけるＳＮＲ値である。さらに、ＰＲＳＮＲは、エラーレートへの換算も可能である。しかし、ジッタやエラーレートとは逆に、この値が高ければ高いほど信号品質は優れていることを意味する。エラーレートへの換算も含め、ＰＲＳＮＲの詳細は、「Ｊａｐａｎｅｓｅ  Ｊｏｕｒｎａｌ  ｏｆ  Ａｐｐｌｉｅｄ  Ｐｈｙｓｉｃｓ  Ｖｏｌ．４３，Ｎｏ．７Ｂ，２００４，ｐｐ．４８５９−４８６２  “Ｓｉｇｎａｌ−ｔｏ−Ｎｏｉｓｅ  Ｒａｔｉｏ  ｉｎ  ａ  ＰＲＭＬ  Ｄｅｔｅｃｔｉｏｎ”  Ｓ．ＯＨＫＵＢＯ  ｅｔ  ａｌ」を参照されたい。【００１３】
ＰＲＭＬ検出を前提とする調整方法は、例えば、特開２００２−３１９２３１号公報に開示されている。この方法は、パーシャルレスポンス処理後の信号振幅レベルの度数分布を用いて、正規分布を仮定した理論式により分散値を導出し、所定の分散値に近い時に、再生パワー、フォーカスオフセット、記録パワー、レンズポジション、記録時のデータとクロックの位相等を調整する。【００１４】
再生波形の品質を評価する他の方法としては、直接エラーレートやエラーバイト数を求めてしまう方法もある。ＨＤ  ＤＶＤでは変調符号も従来のＤＶＤとは異なる。ＨＤ  ＤＶＤの変調符号は、ＥＴＭ（Ｅｉｇｈｔ  ｔｏ  Ｔｗｅｌｖｅ  Ｍｏｄｕｌａｔｉｏｎ）と呼ばれる変調符号である。その最短マーク長あるいは最短スペース長は、２Ｔ（Ｔはチャネルクロック周期）である。一方、従来のＤＶＤでは、８／１６変調と呼ばれる変調符号が用いられ、その最短マーク長あるいは最短スペース長は３Ｔである。したがって、記録ストラテジの形態も両者で異なってくる。例えば、ＤＶＤ−Ｒの場合、長さｋＴ（ｋは３以上の自然数）のマーク部分は、ｋ−２個のパルスで記録されることがある。ＨＤ  ＤＶＤ−Ｒの場合、最短マーク長が２Ｔであるため、ｋ−２個のパルスで最短マークの記録を行おうとすると出力パルスが存在しなくなってしまう。つまり、少なくともｋ−１個のパルスで記録するなどしなければならない。これは、単にパルスの数の議論ではなく、ＤＶＤとＨＤ  ＤＶＤとでは、記録ストラテジの形態そのものに対して考え方を変えていかなければならないことを意味している。つまり、ＤＶＤでの知識があまり有効に使えない。【００１５】
特開２００３−１６２８１７号公報には、光学的に書き換え可能な光記憶媒体に対してレーザを照射することにより、記録する情報に応じて多値化された多値データをマークとして記録する光記憶媒体記録方法が開示されている。この記録方法は、第１のステップと、第２のステップとからなる。第１のステップでは、光記憶媒体上にマークが記録される際、前後のマーク長が検出される。第２のステップでは、第１のステップによって検出された前後のマーク長に応じて、光記憶媒体にレーザ照射するタイミングが設定され、その設定されたタイミングでレーザ照射が行われて多値データのマークが記録される。【００１６】
特開２００６−３１８５９４号公報には、記録媒体に対して多値データに応じた記録マークを記録セル単位に記録する記録方法が開示されている。この記録方法では、記録媒体にセルクロック周期に同期した記録信号に基づいて生成された記録パルス波形のレーザ光が照射されて、記録媒体に記録マーク群が形成される。その記録マーク群を読み出すことによって再生信号波形を得る。その再生信号波形をセルクロック周期より短い周期でサンプリングを行って、再生信号波形のサンプル点と理想信号波形との信号レベルの誤差およびピーク位置の誤差が評価される。評価の結果、記録パルス波形のレーザ光のパルス幅、またはレーザ光の照射タイミングの補正量が決定される。【００１７】
上記のように、ＨＤ  ＤＶＤほどの高密度になってくると、記録ストラテジの調整は非常に微妙になってくる。また、従来のＤＶＤでは使用されていないＰＲＭＬ検出に適した調整もしなくてはならない。これは、ＰＲＭＬ検出が記録したマークの符号間干渉を積極的に利用した検出方式であることにもよる。このような場合、記録ストラテジの各パラメータが相互に影響し合うことも多い。したがって、上述の特開２０００−１８２２４４号公報に示されている方法のように、粗く、かつ各パラメータが独立に信号品質に影響することを仮定している調整方法では、最適な記録ストラテジを得ることが難しくなっている。また、最長記録マークの理論値からのずれ（１４Ｔスペース幅と１４Ｔマーク幅の差）を用いた指標を導入してパラメータを調整しても、上述の特開２０００−０３０２５４号公報に示されるような方法では、高密度がゆえに符号間干渉が急激に増加して記録マーク自体がその前後の記録マークに影響されるような場合には、最適な記録ストラテジを得ることが難しい。【００１８】
特開２００６−０６６０６８号公報においては、光ディスクに記録されている記録ストラテジ推奨値を基にして、実際に使用されるパルス幅に変換する変換定数や目標アシンメトリ値を予め実験を行うことにより求め、それらの値を装置が保持する必要がある。そのため、未知の光ディスクに適用すると正確な調整ができないことになる。また、特開２００６−１６４４８５号公報においても、記録状態の分散だけを抑えても、ＰＲＭＬ検出では所定の応答特性を仮定した時の想定検出レベルに合っていなければ必ずしも良好な記録とならない。さらに、ＰＲＭＬ検出においては、各マーク又は各スペース全てが必ずしも理論長である必要はなく、連続したマークスペースからなる再生波形が想定した応答となるように記録再生されればよいので、この手法だけでは必ずしもよい解決策とならない。【００１９】
また、従来の方法はＰＲＭＬ検出ではなくスライサを用いて検出する２値検出用の方法である。したがって、ＰＲＭＬ検出方式を使用した系ではそのまま使うことができない。同様に、特開２００５−２１６３４７号公報、特開２００６−０６６０６８号公報、特開２００６−１６４４８５号公報に開示される方法もＰＲＭＬ検出を想定していない調整方法であり、旧来のジッタを用いたものである。ＨＤ  ＤＶＤのような高密度の光ディスクではジッタという信号品質評価指標がすでに測定できない。【００２０】
特開２００２−３１９２３１号公報では、正規分布を仮定した理論式によりパーシャルレスポンス処理後の信号振幅レベルの分散値を導出している。ＰＲＭＬの導入が必要な程度に高密度化された系においては、読み出した再生信号の符号間干渉が大きい。そのため、実際の読み出し信号の想定レベルに対応した各分布は、例えば、分布中心に対して対称性が崩れたような分布となる場合もある。したがって、正規分布を仮定した理論式を用いるこの方法では、必ずしも正確に調整できるとは限らない。また、分散値（信号の広がり分布）だけが考慮され、読み出された信号が取り得ると期待されている信号レベルからのずれ分（分布の平均位置）が考慮されていないため、必ずしも十分な評価尺度となっていない。一方、差メトリックの導入例も示されているが、記録ストラテジの調整では、複数のパラメータが相互に影響するため、複雑な調整をこの指標だけを用いて行うのは難しい。【００２１】
また、多くの調整方法においては、３Ｔ以上の信号のみが存在する変調符号が想定されているので、記録ストラテジの形態もＨＤ  ＤＶＤなどとは異なっている。つまり、ＨＤ  ＤＶＤなどには従来の技術をそのまま当てはめることができない。【００２２】
このように、ＨＤ  ＤＶＤのように高密度でかつＰＲＭＬを使用した系において、どのように、最良の記録ストラテジを早く正確に求めればよいかを明らかにすることは、高密度光ディスクを開発する上で非常に大きな課題となっている。
【発明の開示】
【００２３】
本発明の目的は、最良の記録ストラテジを早く正確に求める光学的情報記録媒体への信号記録条件調整方法、情報記録再生装置を提供することにある。本発明の他の目的は、調整領域を無駄に使用することのない光学的情報記録媒体への信号記録条件調整方法、情報記録再生装置を提供することにある。
【００２４】
本発明の観点では、光学的情報記録媒体への信号記録条件調整方法は、試し記録するステップと、測定するステップと、パラメータ候補値を選択するステップと、複数のパラメータ値の組み合わせを生成するステップと、繰り返しステップと、最適値選択ステップとを具備する。記録ステップでは、調整可能な複数のパラメータを含む記録ストラテジに基づいて、複数のパラメータのうちの第１パラメータの値を変更しながら光学的情報記録媒体上に強度変調されたレーザ光を照射して、マーク部およびスペース部を有するパターン列が試し記録される。品質測定ステップでは、試し記録されたパターン列が再生され、第１パラメータの各値に対応して再生信号品質を示す信号品質値が測定される。候補選択ステップでは、信号品質値に基づいて、第１パラメータの各値の中から一つまたは複数のパラメータ候補値が選択される。複数のパラメータ値の組み合わせを生成するステップでは、第１パラメータの値が選択された複数のパラメータ候補値で置き換えて固定され、複数のパラメータのうちの第２パラメータが値を変更されるパラメータとして選択される。繰り返しステップでは、記録ステップと品質測定ステップと候補選択ステップと複数のパラメータ値の組み合わせを生成するステップとが繰り返される。最適値選択ステップでは、繰り返しステップにより繰り返した後に、パターン列を再生した再生信号波形と、パターン列に基づいて算出される基準再生波形との誤差の分散値が最小になるパラメータ候補値の組み合わせが選択される。
【００２５】
本発明の他の観点では、情報記録再生装置は、光ヘッド部と、再生部と、信号品質算出部と、記録ストラテジ調整器とを具備する。光ヘッド部は、調整可能な複数のパラメータを含む記録ストラテジに基づいて、複数のパラメータのうちの第１パラメータの値を変更しながら光学的情報記録媒体上に強度変調されたレーザ光を照射して、マーク部およびスペース部を有するパターン列を試し記録し、光学的情報記録媒体に記録されたパターン列を読み出して電気信号を出力する。再生部は、電気信号に基づいて、再生波形信号を生成する。信号品質算出部は、再生波形信号に基づいて、第１パラメータの各値に対応する再生波形信号の再生信号品質を示す信号品質値を測定する。記録ストラテジ調整器は、信号品質値に基づいて、第１パラメータの各値の中から一つまたは複数のパラメータ候補値を選択し、第１パラメータの値を複数の選択されたパラメータ候補値で置き換えて固定し、複数のパラメータのうちの第２パラメータを、値を変更するパラメータとして選択する。さらに、記録ストラテジ調整器は、試し記録と信号品質値の測定とを繰り返した後に、パターン列を再生した再生信号波形と、パターン列に基づいて算出される基準再生波形との誤差の分散値が最小になるパラメータ候補値の組み合わせを選択して信号記録条件の調整結果とする。
【図面の簡単な説明】
【００２６】
上記発明の目的、効果、特徴は、添付される図面と連携して実施の形態の記述から、より明らかになる。
【図１】図１Ａ〜１Ｆは、記録ストラテジの種類を示す図である。
【図２】図２は、本発明の実施の形態に係る情報記録再生装置の概略構成を示す図である。
【図３】図３は、ＲＦ回路部の構成を示すブロック図である。
【図４】図４Ａ〜４Ｂは、（ｋ-１）型パルストレインの記録ストラテジの設定を示す図である。
【図５】図５は、情報記録再生装置の動作を示すフローチャートである。
【図６】図６は、可変パラメータの調整順を示す図である。
【図７】図７は、取得情報の構成を例示する図である。
【図８】図８は、冷却パルス幅を変化させたときのＰＲＳＮＲの測定結果を例示する図である。
【図９】図９は、記録ストラテジパラメータの組み合わせが異なるときの誤差分散値の例を示す図である。
【図１０】図１０は、記録ストラテジパラメータの組み合わせが異なるときのＰＲＳＮＲを評価指標としてパワーマージンを測定した結果を示す図である。
【図１１】図１１は、情報記録再生装置の他の動作を示すフローチャートである。
【図１２】図１２は、調整ステップと要求される信号品質（ＰＲＳＮＲ）との関係を示す図である。
【図１３】図１３は、調整ステップと要求される信号品質（エラーレート）との関係を示す図である。
【発明を実施するための最良の形態】
【００２７】
以下、図面を参照して本発明を実施するための最良の形態を説明する。【００２８】
図２に、本発明の実施の形態に係る情報記録再生装置の構成の概略図が示される。この情報記録再生装置１は、スピンドル駆動系９、光ヘッド部２０、ＲＦ回路部３、復調器４、システムコントローラ５、変調器６、ＬＤ駆動部７、サーボコントローラ８を具備する。【００２９】
スピンドル駆動系９は、光ディスク１０を駆動する。光ヘッド部２０は、レーザダイオード（ＬＤ）２６、対物レンズ２８、ビームスプリッタ２５、受光部２２を備え、レーザ光をレーザダイオード（ＬＤ）２６から対物レンズ２８を介して光ディスク１０に照射し、光ディスク１０からの反射光を受光部２２により検出する。すなわち、レーザダイオード（ＬＤ）２６は、記録すべきデータを示すマーク部およびスペース部を有するパターン列に基づいて強度変調されたレーザ光を出射する。レーザダイオード２６から出射されたレーザ光は、対物レンズ１５で集光されて光ディスク１０に照射される。その反射光は、ビームスプリッタ２５によって出射光と分離されて受光部２２によって検出され、電気信号に変換されてＲＦ回路部３に出力される。【００３０】
ＲＦ回路部３は、入力信号にフィルタリング等の処理を行って信号品質の測定を行い、信号品質を示す値をシステムコントローラ５に出力する。ＲＦ回路部３の詳細は後述される。復調器４は、ＲＦ回路部３の出力信号を復調し、システムコントローラ５に出力する。変調器６は、記録すべき信号を変調する。変調器６の出力は、ＬＤ駆動部７に出力されるとともに、ＲＦ回路部３にも出力されて信号品質の測定に供される。ＬＤ駆動部７は、変調器７の出力信号に基づいて、光ヘッド部２０のレーザダイオード２６を駆動する。サーボコントローラ８は、サーボ信号をコントロールする。システムコントローラ５は、記録ストラテジ調整器１５を内蔵し、記録パワー、バイアスパワーを含む記録ストラテジの調整を行う。また、システムコントローラ５は、装置全体の統括を行なう。【００３１】
ＲＦ回路部３は、図３に示されるように、プリフィルタ３１、オートゲインコントロール回路（ＡＧＣ）３２、Ａ／Ｄコンバータ（ＡＤＣ）、フェーズロックドループ回路（ＰＬＬ）３５、適応等化器３７、識別器３８を具備し、入力信号を２値化信号に変換する。さらに、ＲＦ回路部３は、変調器６から出力される記録データを保持する記憶部３０と、信号品質を算出する信号品質算出部４０とを具備する。記憶部３０は、変調部６が出力する記録データ、すなわち記録に使用されるパターン列を保持し、システムコントローラ５の制御に基づいて保持する記録データを信号品質算出部４０に供給する。信号品質算出部４０は、適応等化器３７および識別器３８の出力と、記憶部３０の出力とに基づいて信号品質を算出する。【００３２】
光ヘッド部２０から入力される入力信号は、プリフィルタ３１によりフィルタリングされ、オートゲインコントロール回路３２により振幅制御された後、Ａ／Ｄコンバータ３４によってデジタル化される。デジタル信号化された信号は、フェーズロックドループ回路３５でクロック信号が抽出されるとともに、チャネル周波数に同期化されて適応等化器３７に出力される。【００３３】
適応等化器３７は、代表的にはＦＩＲフィルタで実現され、ＰＲ（１，２，２，２，１）特性に近づくように入力信号を等化再生信号に変換する。ＦＩＲフィルタのタップ係数は、ＬＭＳ（ｌｅａｓｔ  ｍｅａｎ  ｓｑｕａｒｅ）アルゴリズムを用いて変更され、周波数特性が修正される。適応等化器３７で周波数特性が修正された等化再生信号は、ビタビ復号器を含む識別器３８に出力されるとともに、信号品質算出部４０に出力される。【００３４】
識別器３８は、適応等化器３７から出力される等化再生信号を入力し、等化再生信号とのユークリッド距離が最も小さいパスを選択し、選択されたパスに対応する符号ビット系列を２値化信号（推定パターン列）として出力する。２値化信号は、復調器４に出力されるとともに、適応等化器３７にフィードバックされ、信号品質算出部４０に出力される。【００３５】
信号品質算出部４０は、基準波形信号生成器４１、誤差算出器４２、タイミング調整回路４３、エラーレート算出器４５、ＰＲＳＮＲ算出器４７、分散算出器４８を備える。基準波形信号生成器４１は、識別器３８から出力される２値化信号に基づいて、記録再生チャネルに所定の応答特性を仮定したときの基準（理想）再生波形信号を生成する。また、基準波形信号生成器４１は、記憶部３０に記憶されている記録データに基づいて、基準再生波形を生成してもよい。誤差算出器４２は、タイミング調整回路４３を介してタイミングが調整された等化再生信号による再生波形と、基準波形信号生成器４１から出力される基準再生波形との差（誤差)を算出する。【００３６】
ＰＲＳＮＲ算出器４７は、誤差算出器４２から出力される再生波形と基準再生波形との誤差に基づいて、ＰＲＳＮＲ値を算出する。また、分散算出器４８は、誤差算出器４２から出力される再生波形と基準再生波形との誤差に基づいて、誤差の分散値（誤差分散）を算出する。Ａ／Ｄコンバータ３４がサンプリングしてデジタル化した再生信号波形を示す波形データと、誤差算出器４２が算出する基準再生波形を示す波形データとの差分をＸｋとし、分散値を求める期間にサンプリングされる数（サンプル数）をＮとするとき、分散値σ２は、誤差Ｘｋの２乗和の平均と、誤差Ｘｋの平均の２乗和とを用いて次式により算出される。
2009016958.tif 000003
ここで、Ｎは１以上の整数とする。【００３７】
エラーレート算出器４５は、記憶部３０に記憶されている記録データおよび識別器３８から出力される２値化信号に基づいて、エラーレートを算出する。なお、エラーレートは必要に応じて算出される。信号品質算出部４０で算出されたＰＲＳＮＲ値、分散値、エラーレートは、システムコントローラ５に出力される。【００３８】
システムコントローラ５に内蔵される記録ストラテジ調整器１５は、ＲＦ回路部３から供給されるＰＲＳＮＲ値、分散値、エラーレートや等化誤差の情報、所定のＥＣＣ（Ｅｒｒｏｒ  Ｃｏｒｒｅｃｔｉｏｎ  Ｃｏｄｅ）ブロックにおけるエラーバイト数によって、記録条件と信号品質との関連を認識する。ＥＣＣブロックにおけるエラーバイト数は、復調器４によって復調されたデータ列から得られる。これらの信号品質の測定結果に基づいて、記録ストラテジ調整器１５は、一連の調整シーケンスをコントロールし、最適な記録ストラテジのパラメータの抽出やパラメータの選択、つまりストラテジ構成パルスのパルス幅の抽出と選択を行う。【００３９】
次に、情報記録再生装置１の記録ストラテジ調整器１５の動作が説明される。以下の説明では、ＨＤ  ＤＶＤの規格に対応した１度だけ記録が可能な追記型の光ディスク（例えば、ＨＤ  ＤＶＤ−Ｒ）を想定し、情報記録再生装置の動作が例示される。その光ディスクの物理フォーマットは、ビットピッチが０．１５μｍ、トラックピッチが０．４０μｍのイングルーブ・フォーマットであるとする。【００４０】
ＨＤ  ＤＶＤ−Ｒなどの光ディスクでは、記録を行うとマークの反射率が高くなるタイプの媒体は、Ｌｏｗ−ｔｏ−Ｈｉｇｈ媒体と呼ばれ、逆に、マークの反射率が低くなるタイプの媒体は、Ｈｉｇｈ−ｔｏ−Ｌｏｗ媒体と呼ばれている。本実施の形態では、Ｌｏｗ−ｔｏ−Ｈｉｇｈ媒体を用いたとして説明する。光ディスクは、ポリカーボネイトからなる円板状の透明な基板を備える。基板は、厚さが０．６ｍｍ、直径が１２ｃｍである。基板には記録用の膜（記録層）が成膜されており、また、プリグルーブと呼ばれる案内溝が形成されている。情報の記録及び再生時には、情報記録再生装置（光ディスクドライブ）の光ビームがこの案内溝に沿って走査できるようになっている。情報記録再生装置１は、この記録層に情報となるマークとスペースとを含むパターン列を記録する。【００４１】
また、光ヘッド部２０のレーザダイオード２６から出射される光のＬＤ波長は４０５ｎｍであり、対物レンズのＮＡ（開口数）が０．６５であるとして説明する。さらに、記録ストラテジ波形は、図４Ａ、４Ｂに示されるように定義される。図４ＡにＮＲＺＩ（ｎｏｎ  ｒｅｔｕｒｎ  ｔｏ  ｚｅｒｏ  ｉｎｖｅｒｔｅｄ）波形が示される。図４Ｂには、ＮＲＺＩ波形に対応する（ｋ−１）型パルストレインの５Ｔマークを記録するときの波形が示される。所定の記録パワーレベルを有する先頭パルスおよび最終パルスと、その間に２つの中間パルスとを有する。これらのパルスは、記録層を加熱するため、加熱パルスと呼ばれる。各パルスの間はボトムパワーレベルになっている。さらに、最終パルスの後にボトムパワーレベルの冷却パルスを備える。このボトムパワーレベルは、できるだけゼロレベルに近いパワーが好ましく、ここでは０．１ｍＷに設定されている。【００４２】
図５に、情報記録再生装置１の記録ストラテジ調整動作のフローチャートが示される。以下、図５を参照して記録ストラテジ調整器１５の動作が説明される。【００４３】
情報記録再生装置１に光ディスク１０が装填されると、システムコントローラ５は、光ヘッド部２０を光ディスク２０のシステム情報領域に移動し、システム情報領域からＤｉｓｃ  Ｍａｎｕｆａｃｔｕｒｉｎｇ  ｉｎｆｏｒｍａｔｉｏｎを読み出し、その情報に基づいてディスクの種類、ディスクメーカ名等を取得する。システムコントローラ５は、取得した情報に基づいて、装填された光ディスク１０が媒体Ａであると判定し、その媒体Ａに関するパラメータテーブルを取得する。パラメータテーブルは、例えば、図７に示されるように、記録パワー、バイアスパワー、想定されるＰＲＳＮＲ値や、最短マークパルス幅、３Ｔ先頭パルス幅、４Ｔ以上のマークの先頭パルス幅、中間パルス幅、最終パルス幅、冷却パルス幅等の代表的なパルス幅の情報を備える。これらの値は、予め所定の装置で調整された推奨値である。このパラメータテーブルは、光ディスク１０のシステム情報領域に格納されていてもよいし、情報記録再生装置１が保持していてもよい。情報記録再生装置１に保持される場合、情報記録再生装置１は、光ディスク１０から取得されるディスクメーカ名やディスクの種類に基づいて検索し、パラメータテーブルを得る。また、このように予め準備されたパラメータテーブルが無い場合に関しては、後述する。【００４４】
記録ストラテジ調整器１５は、パラメータテーブルに基づいて、所定の記録時パワーとして、記録パワーを９．０ｍＷ、バイアスパワーを３．６ｍＷに設定する。先頭パルス、中間パルス、最終パルスは全て同じパルス幅とし、冷却パルスのパルス幅はゼロとする。基本パルス幅を０．３８Ｔから０．８６Ｔまでの範囲で略０．０３Ｔ刻み幅に変更して、光ディスクに所定のテストパターンが記録される。このとき、パルス幅の変更により位置が変わるパルスの縁（エッジ）は、どのパルスにおいてもパルスの前縁とする。記録されたテストパターンが再生され、記録ストラテジ調整器１５は、その信号品質（ＰＲＳＮＲ）に基づいて最良となる基本パルス幅を求め、ベースストラテジの基本パルス幅にする。このように、取得された情報に基づいて、ベースストラテジが設定される（ステップＳ１００）。【００４５】
ベースストラテジに基づいて、記録ストラテジの各パラメータが調整される。情報記録再生装置１において調整できる記録ストラテジのパラメータとして、最短マークのパルス幅、記録パワー値およびバイアスパワー値を含む記録時パワー、最短マークより長いマークの先頭パルス幅、最終パルス幅、冷却パルス幅があり、図６に示されるような順に、それぞれ可変パラメータとして選択される。すなわち、これらのパラメータのうちの１つのパラメータを可変として、その可変範囲と刻み幅とが設定され、その他のパラメータの値は固定される（ステップＳ１１０）。【００４６】
可変とするパラメータの可変範囲および刻み幅が設定されると、それぞれの可変値に対する信号品質が測定される。すなわち、それぞれの可変値において光ディスクに所定のテストパターンが記録され、その記録されたテストパターンを再生して信号品質が算出され、測定される（ステップＳ１２０）。【００４７】
それぞれの可変値に対する信号品質が測定されると、記録ストラテジ調整器１５は、その測定結果に基づいてパラメータ値候補が選択される。例えば、その可変パラメータの調整において、信号品質が所定の値より良好であるいくつかの値をパラメータ値候補とする。或いは、その可変パラメータの調整において、信号品質の良好な順に所定の数のパラメータ値をパラメータ値候補とする。このステップにおいてパラメータ値候補として選択されたパラメータ値は、次の可変パラメータを求めるときに、ベースストラテジのパラメータの新しい値として使用される（ステップＳ１３０）。【００４８】
可変パラメータを図６に示される順に変えながら、ステップＳ１１０からステップＳ１３０まで繰り返す。したがって、各可変パラメータのパラメータ候補値が組み合わされて、徐々に信号品質を向上させながらパラメータ値候補を求めていくことになる（ステップＳ１４０）。【００４９】
全ての可変パラメータのパラメータ候補値が求められると、記録ストラテジ調整器１５は、その中の最適のパラメータ値の組み合わせを求める。すなわち、各可変パラメータのパラメータ候補値が選択され、その値が次の可変パラメータのパラメータ候補値を選択するときに使用されるため、それぞれのパラメータ候補値の組み合わせのうちの信号品質が良好である組み合わせがいくつか選択されることになる。記録ストラテジ調整器１５は、最後に選択されたパラメータ候補値の組み合わせの中から、再生波形と基準再生波形との誤差分散が小さいものを最適なパラメータ候補値の組み合わせとして選択する（ステップＳ１５０）。【００５０】
可変パラメータは、ここでは、最短マークのパルス幅（ステップＳ２１０）、記録時パワー（ステップＳ２２０）、最短マークより１Ｔ以上長いマークにおける先頭パルス幅（ステップＳ２３０）、最終パルス幅（ステップＳ２４０）、冷却パルス幅（ステップＳ２５０）の順に設定され、それぞれにおけるパラメータ候補値が求められる。この順番は、固定的ではなく、適宜入れ替わっていてもよい。【００５１】
例えば、最短マークパルス幅の設定の場合（ステップＳ２１０）、ベースストラテジ設定（ステップＳ１００）において求められた基本パルス幅に基づいて、信号品質の評価指標をＰＲＳＮＲとして最短マークに対応する先頭パルス幅を求める。このときのパルス幅は、基本パルス幅を中心として、その−０．０６Ｔから＋０．１８Ｔまでの範囲内を略０．０３Ｔ刻みに変更して設定される。各パルス幅において、所定のテストパターンが記録再生され、信号品質を示すＰＲＳＮＲが算出される。記録ストラテジ調整器１５は、各パルス幅のうちの信号品質が良好であったパルス幅をパラメータ候補値として選択する。また、パラメータ候補値として選択されたパルス幅は、次の可変パラメータの測定のときに最短マークパルス幅として使用される。【００５２】
次に、記録時パワーを設定する場合（ステップＳ２２０）、最短マークパルス幅は、最短マークパルス幅の設定（ステップＳ２１０）において選択された値に固定され、記録時パワー（記録パワーおよびバイアスパワー）が可変パラメータとなる。記録パワーおよびバイアスパワーの各々は、初期の所定の記録時パワーを中心として、それらの略±２０％の範囲内を５％刻みに変更して設定される。各パワー値において、所定のテストパターンが記録再生され、信号品質を示すＰＲＳＮＲが算出される。記録ストラテジ調整器１５は、各パワー値のうちの信号品質が良好であったパワー値をパラメータ候補値として選択する。この記録時パワーの調整は、記録ストラテジの微調整の位置付けとなる。パルス幅の調整は、記録再生装置における制約があって自由なパルス幅の設定ができない。しかし、記録時パワーの設定は、設定可変幅を細かくできるため、微調整に向いている。このようにして求められた記録時パワーのうちの良好な記録品質を得た記録時パワー値は、パラメータ候補値として選択される。また、パラメータ候補値として選択された記録時パワーは、次の可変パラメータの測定のときに記録時パワーとして使用される。なお、最短マークのパルス幅の設定（ステップＳ２１０）と、記録時パワーの設定（ステップＳ２２０）とは、その順番を入れ替えてもよい。【００５３】
次に、最短マークよりも１Ｔ（記録単位長）以上長いマークを記録するための先頭パルスの幅が、第２の先頭パルス幅として設定される（ステップＳ２３０）。例えば、ＥＴＭ変調の場合、最短マークは２Ｔ、最長マークは１３Ｔの長さを有し、３Ｔから１３Ｔまでのマークがこれに該当する。これらのマーク長のうち、３Ｔおよび４Ｔのマークに対応する先頭パルス幅が求められる。ここでは、４Ｔ以上のマークは１つのカテゴリとして４Ｔマークで代表し、４Ｔ以上のマークに対応する記録ストラテジの先頭パルス幅は全て同じとする。また、調整の順番は、３Ｔマーク、４Ｔマークの順とし、基本パルス幅に基づいて３Ｔマークに対応する先頭パルス幅、４Ｔマークに対応する先頭パルス幅が順次決定される。このときのパルス幅は、基本パルス幅を中心として、その−０．０６Ｔ〜＋０．１８Ｔの範囲内を略０．０３Ｔ刻みで設定される。この範囲は、予め設定されていることが好ましい。パルス幅は、各パルスの前縁の位置が変更されて設定される。信号品質を示す評価指標としてＰＲＳＮＲが用いられ、記録ストラテジ調整器１５は、良好な信号品質となった３Ｔマークの先頭パルス幅、４Ｔマークの先頭パルス幅をパラメータ候補値として選択する。パラメータ候補値として選択された先頭パルス幅は、次の可変パラメータの測定に際して先頭パルス幅として設定される。【００５４】
この３Ｔマークおよび４Ｔマークのカテゴリにおける調整順番は、入れ替えて４Ｔマーク、３Ｔマークの順であってもよい。また、３Ｔマーク、４Ｔマークのいずれかのカテゴリの調整を行わなくてもよい。さらに、４Ｔマークのカテゴリを細分化して、４Ｔ、５Ｔ、…、９Ｔ、１１Ｔ、１３Ｔマークのカテゴリで調整することもできる。これらは、調整に費やす時間の制約と、調整精度との兼ね合いで設定されることが好ましい。【００５５】
次に、光ディスク１０上に形成されるマークの最終パルスのパルス幅が設定される（ステップＳ２４０）。４Ｔ以上のマークは、１つのカテゴリにまとめて４Ｔマークにより代表させ、最終パルス幅が調整される。すなわち、４Ｔ以上のマークに対応する記録ストラテジの最終パルス幅は、全て同じパルス幅とする。したがって、最短マーク（２Ｔマーク）、３Ｔマーク、４Ｔマークを記録するための最終パルスの後端が順に調整される。最終パルス幅としては、基本パルス幅を中心にその−０．１６Ｔから＋０．１８Ｔまでの範囲内を略０．０３Ｔ刻みに変更されたパルス幅が設定される。最終パルスのパルス幅を変化させながら所定のテストパターンが光ディスクに記録再生され、信号品質が測定される。このときの信号品質を示す評価指標はＰＲＳＮＲが用いられる。記録ストラテジ調整器１５は、求められた信号品質に基づいて、良好な信号品質となったときの最終パルス幅をパラメータ候補値として選択する。パラメータ候補値として選択された最終パルス幅は、次の可変パラメータの測定に際して最終パルス幅として使用される。【００５６】
なお、（ｋ−１）型パルストレインの場合、２Ｔマークは先頭パルスだけのパルスになるため、ここでは、最短マークパルス幅を設定したとき（ステップＳ２１０）に利用したパルスの縁（エッジ）と逆の縁（エッジ）を調整する。或いは、（ｋ−１）型パルストレインの２Ｔマークに対する最終パルス幅の調整を行わなくてもよい。また、２Ｔ、３Ｔ、４Ｔマークのカテゴリの順は入れ替えてもよく、４Ｔ、３Ｔ、２Ｔマークの順に調整されてもよい。また、３Ｔ、４Ｔマークの最終パルスの後端の調整は、どちらかを行わなくてもよい。さらに、４Ｔマークのカテゴリを細分化して調整してもよい。このように、マーク記録のための最終パルスのパルス幅が適切に設定される。【００５７】
次に、光ディスク１０上に形成されるマークの冷却パルスのパルス幅が設定される（ステップＳ２５０）。４Ｔ以上のマークは、１つのカテゴリにまとめて４Ｔマークにより代表させ、その記録するためのパラメータは、４Ｔマークを記録するための記録ストラテジのパラメータが用いられて、冷却パルスの幅が調整される。すなわち、４Ｔ以上のマークに対応する記録ストラテジの冷却パルスの幅は、全て同じパルス幅とする。したがって、最短（２Ｔ）マーク、３Ｔマーク、４Ｔマークの冷却パルスの後端が順に調整される。それぞれのマーク長に対する冷却パルスのパルス幅は、冷却パルスがない状態、すなわち、パルス幅がゼロの状態から略１．５０Ｔのパルス幅まで略０．０３Ｔ刻みで設定される。冷却パルスのパルス幅を変化させながら所定のテストパターンが光ディスク１０に記録再生され、信号品質が測定される。このときの信号品質を示す評価指標はＰＲＳＮＲが用いられる。記録ストラテジ調整器１５は、求められた信号品質に基づいて、良好な信号品質となったときの冷却パルス幅をパラメータ候補値として選択する。この冷却パルスのパルス幅設定において、簡略的に、全てのマーク長に対する冷却パルス幅が同じパルス幅として設定されてもよい。このように、マーク記録のための冷却パルスの幅が適切に設定される。【００５８】
以上のように、各パルスのパルス幅が設定されるが、各パルスの幅の可変範囲や刻み幅などは、調整に掛かる時間的制約と、調整精度との兼ね合いで選択可能に設定される。また、最終パルス幅の設定（ステップＳ２４０）は、最短マークより長いマークの先頭パルス幅の設定（ステップＳ２３０）より前に実行されてもよく、記録時パワーの設定（ステップＳ２２０）の後に、最短マークより長いマークの先頭パルス幅の設定（ステップＳ２３０）を行わずに、最終パルス幅の設定（ステップＳ２４０）を行ってもよい。また、これらの可変パラメータが順次選択されていく過程で、信号品質がパラメータテーブルに設定されている“想定されるＰＲＳＮＲ値”を超えたとき、以降の可変パラメータの選択を取り止めてもよい。すなわち、実行順や処理の省略は調整にかかる時間の制約と調整精度の兼ね合いによる。【００５９】
以上のように、可変パラメータが順次設定される。その過程で求められたパラメータ候補値により、ストラテジパラメータの組み合わせが複数できる。記録ストラテジ調整器１５は、その中から最適なパラメータ値の組み合わせを求める。すなわち、信号品質としてＰＲＳＮＲが所定の値を超えるパラメータ値の組み合わせのうち、特にＰＲＳＮＲ値が大きい上位２つのストラテジパラメータの組について、再生波形と基準再生波形との誤差の分散値が算出される。この誤差の分散値が小さいストラテジパラメータの組が最適なパラメータ値の組み合わせとして選択される。【００６０】
例えば、冷却パルス幅の設定（ステップＳ２５０）において、図８に示されるように、測定結果が得られる。冷却パルス幅が０．６Ｔ付近の測定結果がほぼ同程度の信号品質を示している。この測定結果を得るパラメータ候補値の組み合わせをストラテジパラメータＳＥＴ＿ＡとストラテジパラメータＳＥＴ＿Ｂとする。このストラテジパラメータＳＥＴ＿ＡおよびストラテジパラメータＳＥＴ＿Ｂにおける誤差の分散値が算出される。図９に、算出されたそれぞれの分散値が示され、ストラテジパラメータＳＥＴ＿Ａによる誤差の分散値が、ストラテジパラメータＳＥＴ＿Ｂによる誤差の分散値より小さいことが分かる。したがって、記録ストラテジ調整器１５は、分散値が小さいストラテジパラメータＳＥＴ＿Ａを選択する。【００６１】
なお、所定の評価指標に基づいて抽出された後での性能指標としての分散値は、特に記録されたマーク又はスペース個々の安定性を示している。すなわち、マークの形状や形成状態を含めて不安定な要素が少ない方が分散値は小さく、ばらつきが少ないことを反映している。【００６２】
ここで比較例として、記録ストラテジパラメータＳＥＴ＿Ａおよび記録ストラテジパラメータＳＥＴ＿Ｂにおいて、パルス幅パラメータを固定して記録パワーのみ変化させ、記録パワーマージンを測定した結果が図１０に示される。図１０に示されるように、記録ストラテジパラメータＳＥＴ＿Ａの方が、記録パワーマージンが広くとれ、パラメータとして適していることが分かる。【００６３】
また、上述のように、パラメータの設定精度が比較的自由に設定可能であればよいが、パラメータの設定精度に制約がある場合も多く、その場合、所定の性能を満たすパラメータ範囲の中心を選択できないこともある。そのような場合にもよりマージンが広くとれる記録ストラテジパラメータを高速に選定することができる。【００６４】
また、上述では、各可変パラメータを設定するステップ（ステップＳ２１０〜Ｓ２５０）における信号品質評価指標はＰＲＳＮＲを例示して説明されたが、エラーレート（エラー数と同義）を信号品質評価指標としてもよい。【００６５】
次に、情報記録再生装置が想定していない光ディスクが装填された場合の動作が説明される。光ディスク１０が備えるシステム情報領域にディスクメーカ名、生産地等の情報を含むＤｉｓｃ  Ｍａｎｕｆａｃｔｕｒｉｎｇ  ｉｎｆｏｒｍａｔｉｏｎが保持されているが、情報記録再生装置１にとってその光ディスクは想定範囲外となる。このような状態は、情報記録再生装置が市場に出荷された後に登場した光ディスクが装填された場合等において起こりうる。【００６６】
そのような場合、光ディスク１０が装填されると、情報記録再生装置１は、光ヘッド２０を光ディスク１０のシステム情報領域に移動する。情報記録再生装置１は、システム領域からディスクメーカ名、生産地等の情報を含むＤｉｓｃ  Ｍａｎｕｆａｃｔｕｒｉｎｇ  ｉｎｆｏｒｍａｔｉｏｎを読み出し、ディスクの種類、ディスクメーカ名等を取得する。これらの情報に基づいて、情報記録再生装置１は、光ディスク１０が単層のＨＤ  ＤＶＤ−Ｒ媒体であると判定する。しかし、情報記録再生装置１は、この媒体に関するパラメータテーブルを備えていないため、記録ストラテジ調整器１５は、所定の記録時パワー値、パルス幅を設定してベースストラテジを設定する。以降、上記に説明したように、記録ストラテジ調整器１５は、各ストラテジパラメータ候補値を選択し、最適の記録ストラテジパラメータの組を求める。【００６７】
また、上記の最短マーク対応先頭パルス幅の設定（ステップ２１０）では、記録ストラテジ調整器１５は、基本パルス幅に基づいて、パルス幅を所定の範囲内で変更しつつ試し記録を行って選択した。これは、基本パルス幅に予め定められた係数を乗じて最短マーク対応トップパルス幅として設定するようにしてもよい。試し記録を行わずに最短マーク対応トップパルス幅が設定されるため、ＰＲＭＬ検出を用いるＨＤ  ＤＶＤにおいても良好な記録条件をさらに高速に得ることが可能となる。【００６８】
また、情報記録再生装置１が出荷された時点において存在していない媒体が装填されても記録ストラテジを精度よく調整することができる。すなわち、仮に情報記録再生装置１が情報を持っていない媒体であっても容易に調整ができ、有効な方法である。【００６９】
上述のように、各可変パラメータにおける候補値を求めて、最終的に分散値によって最良の記録ストラテジパラメータの組を選択する方法を説明したが、各可変パラメータの候補値を選択する際に分散値に基づいて選択することもできる。以下にその方法を説明する。【００７０】
図１１に、情報記録再生装置１の記録ストラテジ調整動作のフローチャートが示される。以下、図１１を参照して記録ストラテジ調整器１５の動作が説明される。【００７１】
情報記録再生装置１に光ディスク１０が装填されると、システムコントローラ５は、光ヘッド部２０をシステム情報領域に移動してＤｉｓｃ  Ｍａｎｕｆａｃｔｕｒｉｎｇ  ｉｎｆｏｒｍａｔｉｏｎを読み出し、その情報に基づいてディスクの種類、ディスクメーカ名等を取得する。システムコントローラ５は、その媒体に関するパラメータテーブルを取得し、パラメータテーブルに基づいてベースストラテジの初期値を設定する。光ディスクに所定のテストパターンが試し記録され、記録ストラテジ調整器１５は、その信号品質（ＰＲＳＮＲ）に基づいてベースストラテジを設定する（ステップＳ１００）。【００７２】
ベースストラテジに基づいて、記録ストラテジ調整器１５は、図６に示されるように、最短マークのパルス幅、記録時パワー、先頭パルス幅、最終パルス幅、冷却パルス幅等の各可変パラメータを順に調整する。すなわち、記録ストラテジ調整器１５は、まず可変パラメータの可変範囲および刻み幅を設定する（ステップＳ１１０）。可変範囲、刻み幅が設定されると、それぞれの可変値を用いて試し記録されて信号品質が測定される（ステップＳ１２０）。【００７３】
可変パラメータ候補値を選択するステップＳ１３０は、ここでは、測定された評価指標の値により候補選択の方法を変える。すなわち、記録ストラテジ調整器１５は、測定された信号品質が所定の信号品質に達しているか否か判定する（ステップＳ１３２）。所定の信号品質より良好な信号品質である測定値が複数あるとき（ステップＳ１３２−ＯＫ）、記録ストラテジ調整器１５は、分散算出器４８から出力される再生波形と基準再生波形との誤差分散に基づいて、パラメータ候補値を選択する。すなわち、記録ストラテジ調整器１５は、良好な信号品質が得られたパラメータ値のうち、誤差分散が最も小さくなったパラメータ値をパラメータ候補値として選択する（ステップＳ１３４）。一方、測定値のいずれもが所定の信号品質に達していない場合（ステップＳ１３２ＮＧ）、記録ストラテジ調整器１５は、測定値のうち最も良好であったパラメータ値をパラメータ候補値として選択する（ステップＳ１３６）。選択されたパラメータ値は、次の可変パラメータを求めるときに、ベースストラテジのパラメータの代わりに使用される。なお、このパラメータ候補値は、複数の値が選択されてもよい。【００７４】
可変パラメータを図６に示される順に変えながら、ステップＳ１１０からステップＳ１３０まで繰り返す。したがって、各可変パラメータのパラメータ候補値が組み合わされ、記録ストラテジ調整器１５は、徐々に信号品質を向上させながらパラメータ値候補を求めていくことになる（ステップＳ１４０）。【００７５】
全ての可変パラメータのパラメータ候補値が求められると、記録ストラテジ調整器１５は、その中の最適のパラメータ値の組み合わせを求める。すなわち、各可変パラメータのパラメータ候補値が選択され、その値が次の可変パラメータのパラメータ候補値を選択するときに使用されるため、それぞれのパラメータ候補値の組み合わせのうちの信号品質が良好である組み合わせがいくつか選択されることになる。記録ストラテジ調整器１５は、最後に選択されたパラメータ候補値の組み合わせの中から、再生波形と基準再生波形との誤差分散が小さいものを最適なパラメータ候補値の組み合わせとして選択する（ステップＳ１５０）。【００７６】
このように、先に説明された方法では、測定された信号品質の評価指標の値によりパラメータ候補値を選定していたが、ここでは、記録ストラテジ調整器１５は、測定された信号品質が良好であれば、再生波形と基準再生波形との誤差分散の小さいパラメータ値を選定する。したがって、より良好な信号品質が期待できる。【００７７】
ここでは、各可変パラメータについて、測定された信号品質によってパラメータ候補値の選択の方法を切り替えるようにしたが、特定の可変パラメータの選択時に限って切り替えるようにしてもよい。全ての可変パラメータを信号品質値により選択すると、先に説明した候補選択になる。【００７８】
また、測定された信号品質値によりパラメータ候補値を選択する場合、パラメータ変更範囲において、最も信号品質値が良好であるパラメータ値を選択することが好ましい。所定の信号品質以上である複数の測定値が得られた場合、それらの測定値に対応するパラメータ値の平均値に最も近いパラメータ値を選択してもよい。または、パラメータ値の中央値をパラメータ候補値として選択してもよい。平均値或いは中央値により選択されたパラメータ値は、この時点においては最良のパラメータ値とは限らないが、その後の可変パラメータの調整により最良のパラメータ値に近づいていく。なお、所定の信号品質以上である測定値が多い場合、可変パラメータ値の刻み数すなわち可変範囲を刻み幅で分割した数に応じて平均値（中央値）を求めるパラメータ値を選択することが好ましい。【００７９】
また、ステップＳ１３２における所定の信号品質の値は、一定としてもよいが、可変パラメータおよび調整の順番に対応付けて設定されることが好ましい。すなわち、信号品質評価指標としてＰＲＳＮＲが用いられる場合、図１２に示されるように、調整ステップが進む毎に要求される信号品質が高くなるように設定されることが好ましい。図１３には、信号品質評価指標がエラーレートである場合の設定値が示される。信号品質評価指標は、ＰＲＳＮＲ、エラーレートの一方だけであってもよいが、可変パラメータ毎に変えても、組み合わせて用いてもよい。【００８０】
信号品質の測定値は、情報記録再生装置１の性能や光ディスク１０の性能により大きく変わるため、情報記録再生装置１は、信号品質が条件を満たしたときに調整を打ち切ってステップＳ１５０を実行し、その段階における最適パラメータの組を求めるように動作してもよい。すなわち、記録ストラテジ調整器１５は、調整にかかる時間の制約と調整精度の兼ね合いで可変パラメータを選択するように動作してもよい。【００８１】
上記説明において、光ディスク１０としてＬｏｗ−ｔｏ−Ｈｉｇｈ媒体を例示したが、本発明は、Ｌｏｗ−ｔｏ−Ｈｉｇｈ媒体に限定されることなく、Ｈｉｇｈ−ｔｏ−Ｌｏｗ媒体にも適用可能である。また、光ヘッド部２０では、波長４０５ｎｍ、ＮＡ（開口数）０．６５に限定されることなく、あらゆる波長、およびＮＡに本発明は適応可能である。さらに、上記実施の形態では、適応等化器３７は、ＰＲ（１２２２１）というクラスを使用するとして説明されたが、ＰＲ（１２２１）など他のクラスでも同様に使用することができる。また、変調符号としてＨＤ  ＤＶＤで採用されているＥＴＭを仮定したが、その他の変調符号でも同様に使用できる。その場合、例えば、ｋＴ（ｋは３以上の自然数）というような最短データ長が変わることもある。また、ＨＤ  ＤＶＤに限らず、ブルーレイディスク（Ｂｌｕ−ｒａｙディスク）に適用することも可能である。【００８２】
以上説明したように、評価指標自体が有する特性を考慮して的確な状況で用いる構成としていることでその選定効果を高めることができ、また記録ストラテジパラメータを高速に決定することができる。【００８３】
本発明は、所定の指標による所定の性能を満足するという前提のもとに、振幅方向の誤差分散のトータル（パタンを区別しないという意味）が小さいものを選ぶ。本発明は、上記前提において、誤差分散が有効に活用できることを見出したことに特徴がある。【００８４】
特に個別パターンに分けた分散を算出する必要はない。また、必ずしも全てのマーク又はスペースに対応した振幅方向の誤差分散だけが小さいことが最良の品質となるわけではない。例えば、あるマークに対応するレベルでの誤差分散が小さくてもレベル自身が想定レベルからずれている場合にはＰＲＭＬ検出では性能が悪くなることもある。また、異なるパラメータで記録されたマークを比較した場合、それぞれのパラメータで記録されたマークの再生信号において、複数ある想定検出レベルの中で、パラメータによっては、あるレベルでは分散の大小が逆転していても、その他のレベルを含めたトータルの分散は小さい場合がある。【００８５】
このように、真の最適パラメータとは、単に選定時の評価尺度での最良パラメータを指すものではない。所定の信号品質を確保し、変動に対するマージンが広いパラメータが真の最適パラメータである。本発明では、マージンの測定比較（マージンチェック）まで行うようなパラメータ選定をせずに、所定の信号品質を満たした条件のもとに抽出されるパルス幅条件に対し、その後、そのパラメータ条件の中からバラツキを示す再生波形と理想再生波形との誤差の分散値により最終的な記録ストラテジパラメータを選択する。そのため、本発明によれば、高速に記録ストラテジパラメータの調整が可能となる。また、マージンチェックを含めた試し記録再生を行わないため、光ディスクの調整領域を無用に使用しなくても済む。【００８６】
また、本発明では、連続するマークおよびスペースによる再生波形が想定される応答となるように記録再生できることを示す指標によって、記録ストラテジパラメータ条件が抽出される。抽出された複数の記録ストラテジパラメータから、記録されたパターン列を再生した再生波形から得られるバラツキ度合いを主体とした指標を用いて記録ストラテジパラメータを選択する。各々の目的に合わせて異なる指標を用いることにより、その選定効果が向上する。したがって、信頼性の高い記録ストラテジパラメータ調整をすることができる。また、バラツキの算出には比較的演算負荷の少ない演算式を用い、サンプル数に応じて逐次分散を算出するため、高速な応答が期待でき、装置化やハードウェア化に向いている。【００８７】
本発明によれば、記録ストラテジパラメータを高速に調整する光学的情報記録媒体への信号記録条件調整方法、情報記録再生装置を提供することができる。また、マージンチェックを含めた試し記録再生を行わないため、調整領域を無駄に使用することもない。【００８８】
また、本発明によれば、信頼性を高く記録ストラテジパラメータを調整する光学的情報記録媒体への信号記録条件調整方法、情報記録再生装置を提供することができる。【００８９】
以上、実施の形態を参照して本願発明を説明したが、本願発明は上記実施の形態に限定されるものではない。本願発明の構成や詳細には、本願発明のスコープ内で当業者が理解し得る様々な変更をすることができる。【００９０】
なお、本出願は、日本出願番号２００７−２０１７０１に基づく優先権を主張するものであり、日本出願番号２００７−２０１７０１における開示内容は引用により本出願に組み込まれる。
【図１】
2009016958.tif 000006
【図２】
2009016958.tif 000007
【図３】
2009016958.tif 000008
【図４】
2009016958.tif 000009
【図５】
2009016958.tif 000010
【図６】
2009016958.tif 000011
【図７】
2009016958.tif 000012
【図８】
2009016958.tif 000013
【図９】
2009016958.tif 000014
【図１０】
2009016958.tif 000015
【図１１】
2009016958.tif 000016
【図１２】
2009016958.tif 000017
【図１３】
2009016958.tif 000018
【国際調査報告】
2009016958.tif 000019
2009016958.tif 000020
2009016958.tif 000021
2009016958.tif 000022